(57)【要約】  ユーザ端末は、基地局から、間欠受信に関する間欠受信情報を受信し、該間欠受信情報に基づいて、間欠受信を行う間欠受信周期を設定し、該間欠受信周期のうち、下りリンクの信号を受信できる第１区間を設定し、間欠受信周期のうち、第１区間以外の第２の区間において、下りリンクの信号を受信できる受信可能区間を設定し、該受信可能区間において、下りリンクの信号を受信する。
2012157091.tif 000002
【特許請求の範囲】
【請求項１】
間欠受信機能を設定できるユーザ端末と、該ユーザ端末との間で無線通信を行う基地局とを有する無線通信システムであって、
ユーザ端末は、
基地局から、間欠受信に関する間欠受信情報を受信する受信部と、
該受信部により受信された間欠受信情報に基づいて、間欠受信を行う間欠受信周期を設定する間欠受信周期設定部と、
前記受信部により受信された間欠受信情報に基づいて、前記間欠受信周期設定部により設定された間欠受信周期のうち、下りリンクの信号を受信できる第１区間を設定する第１区間設定部と、
前記受信部により受信された間欠受信情報に基づいて、前記間欠受信周期設定部により設定されるべき間欠受信周期のうち、前記第１区間設定部により設定された第１区間以外の第２の区間において、下りリンクの信号を受信できる受信可能区間を設定する受信可能区間設定部と
を有し、
前記受信部は、前記受信可能区間設定部により設定されるべき受信可能区間において、下りリンクの信号を受信し、
前記基地局は、
前記ユーザ端末に設定すべき、前記間欠受信周期を設定する間欠受信周期設定部と、
前記間欠受信周期設定部により設定された間欠受信周期のうち、下りリンクの信号を受信させる第１区間を設定する第１区間設定部と、
前記間欠受信周期設定部により設定されるべき間欠受信周期のうち、前記第１区間設定部により設定された第１区間以外の第２の区間において、下りリンクの信号を受信できる受信可能区間を設定する受信可能区間設定部と
前記間欠受信周期設定部により設定されるべき間欠受信周期と、前記第１区間設定部により設定されるべき第１区間と、前記受信可能区間設定部により設定されるべき受信可能区間とを含む間欠受信に関する間欠受信情報を送信する送信部と
を有する、無線通信システム。
【請求項２】
間欠受信機能を設定できるユーザ端末であって、
基地局から、間欠受信に関する間欠受信情報を受信する受信部と、
該受信部により受信された間欠受信情報に基づいて、間欠受信を行う間欠受信周期を設定する間欠受信周期設定部と、
前記受信部により受信された間欠受信情報に基づいて、前記間欠受信周期設定部により設定された間欠受信周期のうち、下りリンクの信号を受信できる第１区間を設定する第１区間設定部と、
前記受信部により受信された間欠受信情報に基づいて、前記間欠受信周期設定部により設定されるべき間欠受信周期のうち、前記第１区間設定部により設定された第１区間以外の第２の区間において、下りリンクの信号を受信できる受信可能区間を設定する受信可能区間設定部と
を有し、
前記受信部は、前記受信可能区間設定部により設定されるべき受信可能区間において、下りリンクの信号を受信する、ユーザ端末。
【請求項３】
請求項２に記載のユーザ端末において、
基地局からの間欠受信情報には、前記受信可能区間以外の区間を表す情報が含まれ、
前記受信可能区間設定部は、前記受信部により受信された前記受信可能区間以外の区間を表す情報に従って、前記受信可能区間を設定する、ユーザ端末。
【請求項４】
請求項２に記載のユーザ端末において、
前記受信部は、前記受信可能区間において、前記下りリンクの信号に含まれるべき上りリンク同期リクエストを受信する、ユーザ端末。
【請求項５】
請求項４に記載のユーザ端末において、
前記間欠受信情報には、制御情報のマッピングを表す情報が含まれ、
前記受信部は、前記マッピングを表す情報に従って、前記上りリンク同期リクエストを受信する、ユーザ端末。
【請求項６】
請求項５に記載のユーザ端末において、
前記下りリンクの信号には、制御チャネルが含まれ、前記上りリンク同期リクエストを受信するための情報は、第１番目のOFDMシンボルにマッピングされる、ユーザ端末。
【請求項７】
ユーザ端末に設定すべき、間欠受信を行わせる間欠受信周期を設定する間欠受信周期設定部と、
前記間欠受信周期設定部により設定された間欠受信周期のうち、下りリンクの信号を受信させる第１区間を設定する第１区間設定部と、
前記間欠受信周期設定部により設定されるべき間欠受信周期のうち、前記第１区間設定部により設定された第１区間以外の第２の区間において、下りリンクの信号を受信できる受信可能区間を設定する受信可能区間設定部と
前記間欠受信周期設定部により設定されるべき間欠受信周期と、前記第１区間設定部により設定されるべき第１区間と、前記受信可能区間設定部により設定されるべき受信可能区間とを含む間欠受信に関する間欠受信情報を送信する送信部と
を有する、基地局。
【請求項８】
請求項７に記載の基地局において、
前記送信部は、前記受信可能区間において、上りリンク同期リクエストを含む下りリンクの信号を送信する、基地局。
【請求項９】
請求項７に記載の基地局において、
前記送信部により送信されるべき間欠受信情報には、制御情報のマッピングを表す情報が含まれる、基地局。
【請求項１０】
請求項９に記載の基地局において、
前記送信部により送信されるべき下りリンクの信号には、制御チャネルが含まれ、
前記上りリンク同期リクエストを受信するための情報を、第１番目のOFDMシンボルにマッピングするマッピング部
を有する、基地局。
【請求項１１】
間欠受信機能を設定できるユーザ端末と、該ユーザ端末との間で無線通信を行う基地局とを有する無線通信システムにおける間欠受信設定方法であって、
ユーザ端末は、
基地局から、間欠受信に関する間欠受信情報を受信する受信ステップと、
該受信ステップにより受信された間欠受信情報に基づいて、間欠受信を行う間欠受信周期を設定する間欠受信周期設定ステップと、
前記受信ステップにより受信された間欠受信情報に基づいて、前記間欠受信周期設定ステップにより設定された間欠受信周期のうち、下りリンクの信号を受信できる第１区間を設定する第１区間設定ステップと、
前記受信ステップにより受信された間欠受信情報に基づいて、前記間欠受信周期設定ステップにより設定されるべき間欠受信周期のうち、前記第１区間設定ステップにより設定された第１区間以外の第２の区間において、下りリンクの信号を受信できる受信可能区間を設定する受信可能区間設定ステップと
を有し、
前記受信ステップは、前記受信可能区間設定ステップにより設定されるべき受信可能区間において、下りリンクの信号を受信し、
前記基地局は、
前記ユーザ端末に設定すべき、前記間欠受信周期を設定する間欠受信周期設定ステップと、
前記間欠受信周期設定ステップにより設定された間欠受信周期のうち、下りリンクの信号を受信させる第１区間を設定する第１区間設定ステップと、
前記間欠受信周期設定ステップにより設定されるべき間欠受信周期のうち、前記第１区間設定ステップにより設定された第１区間以外の第２の区間において、下りリンクの信号を受信できる受信可能区間を設定する受信可能区間設定ステップと
前記間欠受信周期設定ステップにより設定されるべき間欠受信周期と、前記第１区間設定部により設定されるべき第１区間と、前記受信可能区間設定部により設定されるべき受信可能区間とを含む間欠受信に関する間欠受信情報を送信する送信ステップと
を有する、間欠受信設定方法。
【発明の詳細な説明】
【技術分野】
【０００１】
本発明は、無線通信システムに関する。
【背景技術】
【０００２】
LTE(Long Term Evolution)においては、低消費電力化のため、RRC_CONNECTED状態の端末に、間欠受信(DRX: Discontinuous Reception)機能が設定される場合がある。基地局によりDRX機能が設定された端末は、オン−デュレイション(On-duration)区間に物理下りリンク制御チャネル(PDCCH: Physical Downlink Control Channel)等の下りリンクの無線信号の受信を行い、オン−デュレイション区間以外は無線信号の受信を行わない。端末にDRX機能が設定されることにより、消費電力を節約できる。【０００３】
端末にDRX機能が設定される際には、基地局から端末に、MAC Control elementにより、DRXコマンドが通知される。DRXコマンドには、DRX制御用のパラメタが含まれる。DRX制御用のパラメタには、「DRX Cycle」、「onDurationTimer」、「drxStartOffset」などが含まれる。【０００４】
「DRX Cycle」は、On Durationに続いてインアクティビティ期間となる周期的な繰り返しを示す。「DRX Cycle」によりDRXの周期（以下、「DRX周期」という）が設定される。「onDurationTimer」は、DRX Cycleが開始されたときの連続するPDCCHのサブフレーム数を示す。つまり、「OnDurationTimer」は、DRX周期において、PDCCHを受信できる区間を表す。「drxStartOffset」は、DRX Cycleが開始されるサブフレームを示す。「drxStartOffset」は1ms単位で設定されてもよい。【０００５】
図１は、DRX機能の設定例を示す。図１において、横軸は時間であり、SFN(System Frame Number)により表される。SFNは、0から4095の値を取り得る。SFNは、10msを単位として設定されてもよい。【０００６】
図１には、ユーザ端末#1(UE#1)とユーザ端末#2(UE#2)に、DRX機能が設定される例が示される。ユーザ端末#1には「DRX Cycle」が20msに設定され、「onDurationTimer」が10msに設定され、「drxStartOffset」が0に設定されている。従って、SFN=0から、20msを単位として、DRX周期が開始される。DRX周期のうち、前半の10msがオン−デュレイション区間であり、後半の10msがインアクティビティ区間である。【０００７】
ユーザ端末#2には、「DRX Cycle」が20msに設定され、「onDurationTimer」が10msに設定され、「drxStartOffset」が5に設定されている。従って、SFN=0.5から、20msを単位として、DRX周期が開始される。DRX周期のうち、前半の10msがオン−デュレイション区間であり、後半の10msがインアクティビティ区間である。【０００８】
DRX機能が設定された端末は、「OnDurationTimer」により指定される区間、すなわち、オン−デュレイション区間に、ユーザデータの送受信を行う。該端末は、オン−デュレイション区間以外の区間、すなわち、インアクティビティ区間には、ユーザデータの送受信を行わない。インアクティビティ区間にユーザデータの送受信を行わないことにより、消費電力を節約できる。【０００９】
DRX機能が設定された端末の動作について知られている（例えば、非特許文献１、２参照）
【先行技術文献】
【非特許文献】
【００１０】
【非特許文献１】3GPP, TS36.321 V8.8.0 "5.7 Discontinuous Reception(DRX)","6.1.3.3 DRX Command MAC Control Element"
【非特許文献２】3GPP, TS36.331 V8.8.0 "6.3.2 Radio resource control information elements"
【発明の開示】
【発明が解決しようとする課題】
【００１１】
DRX機能が設定された端末宛に下りリンクのデータが発生した場合、基地局は、該端末との間の同期が外れている場合に、該端末のオン−デュレイション区間に、該端末に上りリンク同期リクエスト(Uplink Sync Request)を送信する。該端末は、基地局からの上りリンク同期リクエストを受信すると、ランダムアクセスチャネル(RACH: Random Access Channel)によりプリアンブル(preamble)を送信する。端末から基地局にプリアンブルが送信されることにより、同期シーケンスが開始される。【００１２】
基地局と端末との間で同期が確立された後に、基地局は端末に対し、下りリンクのデータの送信を再開する。つまり、DRX機能が設定された端末宛の下りリンクのデータが発生した場合、該端末との間の同期が外れていた場合には、該下りリンクのデータが発生した後、直近のオン−デュレイション区間が開始されるタイミングから同期を確立する処理が開始される。下りリンクのデータが発生した後、直近のオン−デュレイション区間が開始されるタイミングから同期処理が開始されるため、下りリンクのデータが発生してから同期が確立されるまでの時間が長くなる。下りリンクのデータが発生してから同期が確立されるまでの時間が長くなるため、下りリンクのデータが発生してから、端末に送信されるまでの遅延時間が長くなる場合がある。【００１３】
また、オン−デュレイション区間に、端末が、基地局からの上りリンク同期リクエストを受信できない場合もある。オン−デュレイション区間に、端末が、基地局からの上りリンク同期リクエストを受信できなかった場合、該端末は、次のオン−デュレイション区間まで、上りリンク同期リクエストを受信できない。【００１４】
開示の基地局は、間欠受信が設定された端末との間の同期確立までの時間を短縮することを目的とする。
【課題を解決するための手段】
【００１５】
開示の一実施例の無線通信システムは、
間欠受信機能を設定できるユーザ端末と、該ユーザ端末との間で無線通信を行う基地局とを有する無線通信システムであって、
ユーザ端末は、
基地局から、間欠受信に関する間欠受信情報を受信する受信部と、
該受信部により受信された間欠受信情報に基づいて、間欠受信を行う間欠受信周期を設定する間欠受信周期設定部と、
前記受信部により受信された間欠受信情報に基づいて、前記間欠受信周期設定部により設定された間欠受信周期のうち、下りリンクの信号を受信できる第１区間を設定する第１区間設定部と、
前記受信部により受信された間欠受信情報に基づいて、前記間欠受信周期設定部により設定されるべき間欠受信周期のうち、前記第１区間設定部により設定された第１区間以外の第２の区間において、下りリンクの信号を受信できる受信可能区間を設定する受信可能区間設定部と
を有し、
前記受信部は、前記受信可能区間設定部により設定されるべき受信可能区間において、下りリンクの信号を受信し、
前記基地局は、
前記ユーザ端末に設定すべき、前記間欠受信周期を設定する間欠受信周期設定部と、
前記間欠受信周期設定部により設定された間欠受信周期のうち、下りリンクの信号を受信させる第１区間を設定する第１区間設定部と、
前記間欠受信周期設定部により設定されるべき間欠受信周期のうち、前記第１区間設定部により設定された第１区間以外の第２の区間において、下りリンクの信号を受信できる受信可能区間を設定する受信可能区間設定部と、
前記間欠受信周期設定部により設定されるべき間欠受信周期と、前記第１区間設定部により設定されるべき第１区間と、前記受信可能区間設定部により設定されるべき受信可能区間とを含む間欠受信に関する間欠受信情報を送信する送信部と
を有する。
【発明の効果】
【００１６】
開示の実施例によれば、間欠受信が設定された端末との間の同期確立までの時間を短縮することができる。
【図面の簡単な説明】
【００１７】
【図１】間欠受信制御の一例を示す図である。
【図２】無線通信システムの一実施例を示す図である。
【図３】ユーザ端末の一実施例を示す図である。
【図４】制御チャネルの一実施例を示す図である。
【図５】間欠受信制御の一実施例を示す図である。
【図６】基地局の一実施例を示す図である。
【図７】無線通信システムの動作の一実施例を示す図である。
【図８】ユーザ端末の動作の一実施例を示すフローチャートである。
【図９】基地局の動作の一実施例を示すフローチャートである。
【図１０】制御チャネルの一実施例を示す図である。
【図１１】制御チャネルの一実施例を示す図である。
【符号の説明】
【００１８】
１００  ユーザ端末
１０２  RF部
１０４  BB部
１０６  制御部
１０８  DRX制御パラメタ設定部
１１０  タイマー
２００  基地局
２０２  RF部
２０４  BB部
２０６  スケジューラ
２０８  DRX制御パラメタ設定部
２１０  制御部
２５０  セル
【発明を実施するための最良の形態】
【００１９】
以下、図面に基づいて、実施例を説明する。
なお、実施例を説明するための全図において、同一機能を有するものは同一符号を用い、繰り返しの説明は省略する。【００２０】
＜無線通信システム＞
図２は、無線通信システムの一実施例を示す。【００２１】
本無線通信システムには、基地局(eNB: eNode B)２００と、ユーザ端末(UE: User Equipment)１００とが含まれる。基地局２００の上位にはMME(Mobility Management Entity)/S-GW(Serving-Gateway)（図示なし）が設置される。MME/S-GWは、NAS(Non-Access Stratum)を終端し、アイドル状態であるユーザ端末の管理、SAE(System Architecture Evolution)ベアラリソースの管理を行う。【００２２】
基地局２００は、パワーセービングのため間欠受信(DRX: Discontinuous Reception)状態に、ユーザ端末１００を遷移させることができる。ユーザ端末１００は、基地局２００による制御に従って、間欠受信状態に遷移することができる。【００２３】
ユーザ端末１００が間欠受信状態に遷移するような無線通信システムには、LTE(Long Term Evolution)が適用される無線通信システムが含まれる。【００２４】
本実施例では、一例として、LTEが適用される無線通信システムについて説明する。LTEが適用される無線通信システムは、Evolved UTRA and UTRANとも呼ばれる。上述した特徴、つまり、ユーザ端末１００が間欠受信状態に遷移する機能を有する無線通信システムであれば、LTEが適用される無線通信システム以外にも適用できる。例えば、WiMAX(Worldwide Interoperability for Microwave Access)に適用するようにしてもよいし、無線LAN(WLAN: Wireless LAN)に適用するようにしてもよい。【００２５】
本無線通信システムでは、基地局２００は、共有チャネル(shared channel)を用いて、ユーザデータを送信する。また、基地局２００は、共通チャネル(common channel)を用いて、ユーザデータを送信するようにしてもよい。また、基地局２００は、共有チャネル及び共通チャネルを用いてユーザデータを送信するようにしてもよい。【００２６】
無線通信システムは、無線アクセス方式として、下りリンクについてはOFDMA(Orthogonal Frequency Division Multiple Access)、上りリンクについてはSC-FDMA(Single Carrier - Frequency Division Multiple Access)が適用される。OFDMAは、周波数帯域をサブキャリアに分割し、各周波数帯上にデータを載せて伝送を行う方式である。SC-FDMAは、周波数帯域を分割し、複数の端末間で異なる周波数帯域を用いて伝送することで、端末間の干渉を低減することができる伝送方式である。【００２７】
＜ユーザ端末＞
図３は、ユーザ端末１００の一実施例を示す。【００２８】
ユーザ端末１００は、RF(Radio frequency)部１０２を有する。RF部１０２は、アンテナにより受信された信号をベースバンド信号に変換し、ベースバンド(BB: Baseband)部１０４に入力する。アンテナにより受信されるべき信号には、基地局２００からのDRXコマンド、PDCCHなどが含まれる。該PDCCHには、上りリンク同期リクエストが含まれる場合もある。また、RF部１０２はベースバンド部１０４により入力された中間周波数のIF信号をRF信号にアップコンバートし、増幅し、送信する。【００２９】
ユーザ端末１００は、ベースバンド部１０４を有する。ベースバンド部１０４は、RF部１０２と接続される。ベースバンド部１０４は、RF部１０２により入力されたデジタル信号を音声信号に変換する。また、ベースバンド部１０４は、制御部１０６に、RF部１０２により入力されたデジタル信号を入力する。該デジタル信号には、DRXコマンド、PDCCHなどが含まれる。また、ベースバンド部１０４は、音声信号をデジタルデータに変換し、RF部１０２に入力する。ベースバンド部１０４は、制御部１０６による制御に従って、インアクティビティ区間に受信されるPDCCHについては、１番目のOFDMシンボルを使用して、上りリンク同期リクエストを検出する。つまり、基地局２００は、インアクティビティ区間では、１番目のOFDMシンボルで、PDCCHを送信する。【００３０】
＜PDCCH＞
図４は、インアクティビティ区間に、基地局２００から送信されるべきPDCCHの一実施例を示す。オン−デュレイション区間に送信されてもよい。図４において、横軸は周波数であり、縦軸は時間である。図４に示される例では、PDCCHのシンボル数は１である。換言すれば、PCFICH(Physical Control Format Indicator Channel)により通知されるべきCFI(Control channel Format Indicator)は１である。第１番目のOFDMシンボルに制御情報がマッピングされる。【００３１】
周波数方向では、複数のサブキャリアによりリソースブロック(RB: Resource Block)が形成される。図４に示される例では、1RBには、12サブキャリアが含まれる。また、周波数方向では、所定のサブキャリア毎に、リファレンスシグナルがマッピングされる。図４に示される例では、先頭OFDMシンボルでは、3サブキャリア毎に、リファレンスシグナルがマッピングされる。【００３２】
また、隣接する4サブキャリアを１単位として、リソースエレメントグループ(REG: Resource Element Group)が形成される。図４に示される例では、リファレンスシグナルがマッピングされるリソースエレメント以外のリソースエレメントのうち、隣接する4サブキャリアによりREGが指定される例を示す。図４のハッチングは、１つのREGについて示される。また、図４に示される数値は、1REGを表す。さらに、9REGにより制御チャネルエレメント(CCE: Control Channel Element)が構成される。1CCEを単位として、PDCCHが割り当てられる。図４に示される数値を、CCEインデックスに対応させてもよい。【００３３】
また、インアクティビティ区間に送信されるPDCCHの第1番目のOFDMシンボル(OFDM Symbol 0)のCCEのうち、CCEインデックスにより指定されるCCEには上りリンク同期リクエストがマッピングされる。図４に示される例では、数値「０」−「５」に表されるCCEインデックスのうちのいずれかに、上りリンク同期リクエストがマッピングされてもよい。【００３４】
ベースバンド処理部１０４は、インアクティビティ区間に受信されるPDCCHについては、PCFICHのデコードを行わない。PCFICHが1であることが明らかであるためである。PCFICHのデコードを行わないことにより、ユーザ端末１００の処理負荷を低減できると共に、PDCCHが受信されてから上りリンク同期リクエストを検出するまでの時間を短縮できる。【００３５】
ベースバンド処理部１０４は、制御部１０６に、DRXコマンドを入力する。また、ベースバンド処理部１０４は、制御部１０６に、PDCCHから検出された上りリンク同期リクエストを入力する。【００３６】
ユーザ端末１００は、制御部１０６を有する。制御部１０６は、ベースバンド部１０４と接続される。制御部１０６は、マイクロプロセッサ(MPU: Micro-Processing Unit)により構成されてもよい。また、制御部１０６は、中央演算処理装置(CPU: Central Processing Unit)により構成されてもよいし、DSP(Digital Signal Processor)により構成されてもよい。制御部１０６は、DRX制御パラメタ設定部１０８に、ベースバンド部１０４により入力されるべきDRXコマンドを設定する。DRXコマンドには、「onDurationTimer」と、「DRX cycle」と、「drxStartOffset」と、「On-Duration区間以外でのPDCCH受信モード」と、「On-Duration区間以外での間欠受信間隔タイマー」と、「CCEインデックス」とが含まれる。【００３７】
また、制御部１０６は、DRX制御パラメタ設定部１０８に設定されたパラメタに従って、間欠受信制御を行う。間欠受信制御を行う際に、「On-Duration区間以外でのPDCCH受信モード」がオンに設定されている場合には、インアクティビティ区間においても、間欠受信を行うための制御を行う。【００３８】
＜DRX制御＞
図５は、制御部１０６による間欠受信制御の一例を示す。【００３９】
図５において横軸は時間である。上述したように、「DRX Cycle」は、オン−デュレイション区間に続いてインアクティビティ区間となる周期的な繰り返しを示す。「DRX Cycle」によりDRX周期が設定される。「onDurationTimer」は、DRX Cycleが開始されたときの連続するPDCCHのサブフレーム数を示す。つまり、「OnDurationTimer」は、DRX周期において、PDCCHを受信できる区間を表す。「drxStartOffset」は、DRX Cycleが開始されるサブフレームを示す。「drxStartOffset」は1ms単位で設定されてもよい。制御部１０６は、タイマー１１０を参照し、「drxStartOffset」を制御する。【００４０】
さらに、「On-Duration区間以外でのPDCCH受信モード」は、インアクティビティ区間において、間欠受信を行うかどうかを設定するための情報を示す。例えば、オンオフにより表されてもよい。例えば、インアクティビティ区間において間欠受信を行うかどうかを示すためのフラグが用意されてもよい。「On-Duration区間以外での間欠受信間隔タイマー」は、インアクティビティ区間において間欠受信を行うと設定された場合に、該間欠受信を行う間隔を表す。該間欠受信を行う間隔は、時間により表されてもよいし、フレームにより表されてもよい。制御部１０６は、タイマー１１０を参照し、「On-Duration区間以外での間欠受信間隔タイマー」に従って、インアクティビティ区間において間欠受信制御を行う。図５に示される例では、１つのインアクティビティ区間で、３回、間欠受信できるような間隔が設定される。以下、間欠受信できる間隔を「受信可能区間」という。つまり、インアクティビティ区間には、On-Duration区間以外での間欠受信間隔タイマーにより設定される区間と、受信可能区間とが含まれる。該受信可能区間の数は、１つのインアクティビティ区間において、１、２回であってもよいし、４回以上であってもよい。「CCEインデックス」は、上りリンク同期リクエストをデコードするために使用されるべき制御チャネルを指定するためのインデックスである。【００４１】
また、基地局２００は、当該ユーザ端末１００との間で同期外れが生じている状態で、該ユーザ端末１００宛のデータが生じた場合には、インアクティビティ区間であっても、該インアクティビティ区間の受信可能区間において、上りリンク同期リクエストを送信する。【００４２】
制御部１０６は、ベースバンド処理部１０４からの上りリンク同期リクエストに基づいて、基地局２００との間で同期を確立する処理を行う。つまり、インアクティビティ区間において、該基地局２００からのPDCCHに含まれる上りリンク同期リクエストに従って、該基地局２００との間で、同期を確立する処理を行う。【００４３】
ユーザ端末１００は、DRX制御パラメタ設定部１０８を有する。DRX制御パラメタ設定部１０８は、制御部１０６と接続される。DRX制御パラメタ設定部１０８は、メモリにより構成されてもよい。DRX制御パラメタ設定部１０８には、当該ユーザ端末１００のDRX状態を制御するためのパラメタが設定される。具体的には、DRX制御パラメタ設定部１０８は、基地局２００からのDRXコマンドに含まれるパラメタが設定される。DRXコマンドには、「onDurationTimer」と、「DRX cycle」と、「drxStartOffset」と、「On-Duration区間以外でのPDCCH受信モード」と、「On-Duration区間以外での間欠受信間隔タイマー」と、「CCEインデックス」とが含まれる。該DRXコマンドは、基地局２００から、MAC Control elementで通知されてもよい。【００４４】
ユーザ端末１００は、タイマー１１０を有する。タイマー１１０は、制御部１０６と接続される。タイマー１１０は、制御部１０６により間欠受信制御が行われる際に使用されるタイマーである。【００４５】
＜基地局＞
図６は、基地局２００の一実施例を示す。【００４６】
基地局２００は、RF部２０２を有する。RF部２０２は、アンテナにより受信された信号をベースバンド信号に変換し、ベースバンド部２０４に入力する。アンテナにより受信されるべき信号には、ユーザ端末１００からのランダムアクセスチャネルなどが含まれる。該ランダムアクセスチャネルには、プリアンブルが含まれる場合もある。また、RF部２０２はベースバンド部２０４により入力された中間周波数のIF信号をRF信号にアップコンバートし、増幅し、送信する。具体的には、DRXコマンドが、MAC Control elementとして、送信されてもよい。【００４７】
基地局２００は、ベースバンド部２０４を有する。ベースバンド部２０４は、RF部２０２と接続される。ベースバンド部２０４は、スケジューラ２０６に、RF部２０２により入力されたデジタル信号を入力する。該デジタル信号には、プリアンブルなどが含まれる。また、ベースバンド部２０４は、スケジューラ２０６による制御に従って、インアクティビティ区間の受信可能区間に送信すべきPDCCHについては、１番目のOFDMシンボルを使用して、上りリンク同期リクエストを送信する。【００４８】
＜PDCCH＞
基地局２００によりインアクティビティ区間の受信可能区間に送信されるべきPDCCHは、図４を参照して説明したものと同様である。【００４９】
ベースバンド部２０４は、インアクティビティ区間に送信すべきPDCCHのシンボル数が１となるようにマッピングする。つまり、PCFICHにより通知されるべきCFIは１である。【００５０】
ベースバンド部２０４は、周波数方向では、複数のサブキャリアによりリソースブロックを形成する。1RBには、12サブキャリアが含まれるように形成される場合もある。また、ベースバンド部２０４は、周波数方向では、所定のサブキャリア毎に、リファレンスシグナルをマッピングする。先頭OFDMシンボルでは、3サブキャリア毎に、リファレンスシグナルがマッピングされる場合もある。【００５１】
また、ベースバンド部２０４は、隣接する4サブキャリアを１単位として、リソースエレメントグループを形成する。リファレンスシグナルがマッピングされるリソースエレメント以外のリソースエレメントのうち、隣接する4サブキャリアによりREGが指定される。ベースバンド部２０４は、1CCEを単位として、PDCCHを割り当てる。【００５２】
また、ベースバンド部２０４は、インアクティビティ区間の受信可能区間に送信すべきPDCCHの1番目のシンボル(OFDM Symbol 0)のCCEのうち、CCEインデックスにより指定されるCCEに、上りリンク同期リクエストをマッピングする。【００５３】
ベースバンド部２０４は、スケジューラ２０６に、ユーザ端末１００からのプリアンブルを入力する。また、ベースバンド部２０４は、スケジューラ２０６からのDRXコマンドをRF部２０２に入力する。RF部２０２は、ベースバンド部２０４からのDRXコマンドを無線信号に変換し、送信する。【００５４】
基地局２００は、スケジューラ２０６を有する。スケジューラ２０６は、ベースバンド部２０４と接続される。スケジューラ２０６は、DRX制御パラメタ設定部２０８に設定されるべきパラメタに従って間欠送信制御を行う。スケジューラ２０６は、マイクロプロセッサにより構成されてもよい。また、スケジューラ２０６は、中央演算処理装置(CPU: Central Processing Unit)により構成されてもよいし、DSP(Digital Signal Processor)により構成されてもよい。スケジューラ２０６は、DRX制御パラメタ設定部２０８に、制御部２１０により入力されるべきDRXコマンドを設定する。DRXコマンドには、「onDurationTimer」と、「DRX cycle」と、「drxStartOffset」と、「On-Duration区間以外でのPDCCH受信モード」と、「On-Duration区間以外での間欠受信間隔タイマー」と、「CCEインデックス」とが含まれる。スケジューラ２０６は、DRX制御パラメタ設定部１０８に設定されたパラメタに従って、間欠送信制御を行う。間欠送信制御を行う際に、「On-Duration区間以外でのPDCCH受信モード」がオンに設定されている場合には、インアクティビティ区間においても、間欠送信を行うための制御を行う。つまり、インアクティビティ区間の受信可能区間において、必要に応じて下りリンクの信号を送信するための制御を行う。【００５５】
＜DRX制御＞
スケジューラ２０６による間欠送信制御の一実施例は、図５により説明される。【００５６】
上述したように、「DRX Cycle」は、オン−デュレイション区間に続いてインアクティビティ区間となる周期的な繰り返しを示す。「DRX Cycle」によりDRX周期が設定される。「onDurationTimer」は、DRX Cycleが開始されたときの連続するPDCCHのサブフレーム数を示す。つまり、「OnDurationTimer」は、DRX周期において、PDCCHを送信できる区間を表す。「drxStartOffset」は、DRX Cycleが開始されるサブフレームを示す。「drxStartOffset」は1ms単位で設定されてもよい。スケジューラ２０６は、タイマー（図示なし）を参照し、「drxStartOffset」を制御するようにしてもよい。【００５７】
さらに、「On-Duration区間以外でのPDCCH受信モード」は、インアクティビティ区間において、ユーザ端末１００に、間欠受信を行わせるかどうかを設定するための情報を示す。例えば、オンオフにより表されてもよい。インアクティビティ区間において、ユーザ端末１００に間欠受信を行わせるかどうかを示すためのフラグが用意されてもよい。「On-Duration区間以外での間欠受信間隔タイマー」は、インアクティビティ区間において、ユーザ端末に間欠受信を行わせると設定した場合に、該間欠受信を行わせる間隔を表す。該間欠受信を行わせる間隔は、時間により表されてもよいし、フレームにより表されてもよい。スケジューラ２０６は、タイマー（図示なし）を参照し、「On-Duration区間以外での間欠受信間隔タイマー」に従って、インアクティビティ区間において間欠送信制御を行う。ユーザ端末１００に送信すべきデータが発生し、且つ、該ユーザ端末１００との間の同期が外れている場合に、PDCCHを送信する。該PDCCHは、該PDCCHのシンボル数が１となるようにマッピングされたものである。【００５８】
図５に示される例では、インアクティビティ区間で、３回、ユーザ端末１００に間欠受信させるような間隔が設定される。１、２回であってもよいし、４回以上であってもよい。「CCEインデックス」は、上りリンク同期リクエストをデコードするために使用されるべき制御チャネルを指定するためのインデックスである。【００５９】
また、スケジューラ２０６は、制御部２１０に、ベースバンド部２０４からのランダムアクセスチャネルを入力する。【００６０】
また、スケジューラ２０６は、ベースバンド部２０４に、制御部２１０からのDRXコマンドを入力する。【００６１】
基地局２００は、DRX制御パラメタ設定部２０８を有する。DRX制御パラメタ設定部２０８は、スケジューラ２０６と接続される。DRX制御パラメタ設定部２０８は、メモリにより構成されてもよい。DRX制御パラメタ設定部２０８には、ユーザ端末１００のDRX状態を制御するためのパラメタが設定される。具体的には、DRX制御パラメタ設定部２０８は、ユーザ端末１００に送信すべきDRXコマンドに含まれるパラメタが設定される。DRXコマンドには、「onDurationTimer」と、「DRX cycle」と、「drxStartOffset」と、「On-Duration区間以外でのPDCCH受信モード」と、「On-Duration区間以外での間欠受信間隔タイマー」と、「CCEインデックス」とが含まれる。【００６２】
基地局２００は、制御部２１０を有する。制御部２１０は、スケジューラ２０６と接続される。制御部２１０は、スケジューラ２０６により入力されるべきプリアンブルに基づいて、ユーザ端末１００との間で、同期を確立する処理を行う。例えば、インアクティビティ区間の受信可能区間に、プリアンブルを受信した場合に、ユーザ端末１００との間で、同期を確立する処理を行うようにしてもよい。つまり、基地局２００がインアクティビティ区間の受信可能区間に送信した上りリンク同期チャネルに対して、ユーザ端末１００からのランダムアクセスチャネルが受信された場合に、該ランダムアクセスチャネルに含まれるべきプリアンブルに基づいて、ランダムアクセスシーケンスが開始されてもよい。【００６３】
図７は、間欠受信制御の一実施例を示す。ユーザ端末１００には、「On-Duration区間以外でのPDCCH受信モード」がオンに設定されている。【００６４】
ユーザ端末１００は、「On-Duration区間以外でのPDCCH受信モード」がオンに設定されているため、インアクティビティ区間でも間欠受信を行う。【００６５】
基地局２００に、ユーザ端末１００を宛先とするデータが発生する。つまり、「On-Duration区間以外での間欠受信間隔タイマー」が起動されている区間でユーザ端末１００を宛先とするデータが発生する。基地局２００は、該ユーザ端末１００との間で同期が確立されているかどうかを判定する。同期が外れていると判定した場合、「On-Duration区間以外での間欠受信間隔タイマー」の満了後に、上りリンク同期リクエストを送信する。【００６６】
該上りリンク同期リクエストを受信したユーザ端末１００は、基地局２００に、ランダムアクセスチャネルを送信する。【００６７】
基地局２００とユーザ端末１００との間で、ランダムアクセスチャネルシーケンスにより、同期を確立する処理が行われる。基地局２００とユーザ端末１００との間で同期を確立する処理が終了した場合、基地局２００から、該ユーザ端末１００宛のデータが送信される。インアクティビティ区間で同期を確立する処理が終了した場合には、オン−デュレイション区間に下りリンクのデータが送信されてもよい。オン−デュレイション区間で同期を確立する処理が終了した場合には、該オン−デュレイション区間に下りリンクのデータが送信されてもよい。【００６８】
また、制御部２１０は、所定の条件に従って、在圏するユーザ端末の中から、間欠受信状態とすべきユーザ端末を決定する。さらに、間欠受信状態とすべきユーザ端末に設定すべきパラメタを決定する。【００６９】
また、間欠受信状態とすべきユーザ端末の中から「On-Duration区間以外でのPDCCH受信モード」に設定すべきユーザ端末を決定する。さらに、「On-Duration区間以外でのPDCCH受信モード」に設定すべきユーザ端末に設定すべきパラメタを決定する。【００７０】
制御部２１０は、間欠受信状態とすべきユーザ端末の識別子と、該ユーザ端末に設定すべきパラメタを表す情報を、DRXコマンドとして、スケジューラ２０６に入力する。また、制御部２１０は、「On-Duration区間以外でのPDCCH受信モード」に設定すべきユーザ端末の識別子と、該ユーザ端末に設定すべきパラメタを表す情報を、DRXコマンドとして、スケジューラ２０６に入力する。
＜ユーザ端末の動作＞
図８は、ユーザ端末１００の動作の一実施例を示すフローチャートである。図８には、主に、ユーザ端末１００が、基地局２００からのPDCCHを受信する処理が示される。図８に示される処理は、主に、ユーザ端末１００の制御部１０６等により実行される。【００７１】
ユーザ端末１００は、間欠受信モードがオンであるかどうかを判定する（ステップＳ８０２）。ここで、ステップＳ８０２により判定される間欠受信モードは、「On-Duration区間以外でのPDCCH受信モード」がオンであるかオフであるかを判定することである。【００７２】
間欠受信モードがオンである場合（ステップＳ８０２：ＹＥＳ）、ユーザ端末１００は、「onDurationTimer」が満了したかどうかを判定する（ステップＳ８０４）。【００７３】
「onDurationTimer」が満了したと判定された場合（ステップＳ８０４：ＹＥＳ）、ユーザ端末１００は、「On-Duration区間以外での間欠受信間隔タイマー」が未起動であるかどうかを判定する（ステップＳ８０６）。【００７４】
「On-Duration区間以外での間欠受信間隔タイマー」が未起動でない場合（ステップＳ８０６：ＮＯ）、ユーザ端末１００は、「On-Duration区間以外での間欠受信間隔タイマー」が満了したかどうかを判定する（ステップＳ８０８）。【００７５】
「On-Duration区間以外での間欠受信間隔タイマー」が満了したと判定された場合（ステップＳ８０８：ＹＥＳ）、ユーザ端末１００は、第１番目のOFDMシンボル上で指定されるべきCCEインデックスを使用してPDCCHをデコードすることにより、上りリンク同期リクエストを取得する（ステップＳ８１０）。ステップＳ８１０により、上りリンク同期リクエストを取得できた場合には、ユーザ端末１００は、ランダムアクセスチャネルにより、プリアンブルを送信してもよい。【００７６】
ユーザ端末１００は、「On-Duration区間以外での間欠受信間隔タイマー」を起動する（ステップＳ８１２）。ステップＳ８１０により上りリンク同期リクエストを取得できなかった場合に、ユーザ端末１００は、「On-Duration区間以外での間欠受信間隔タイマー」を起動してもよい。ステップＳ８１２による処理の終了後、ステップＳ８０２に遷移するようにしてもよい。【００７７】
ステップＳ８０２により間欠受信モードがオフであると判定された場合（ステップＳ８０２：ＮＯ）、ユーザ端末１００は、「onDurationTimer」が満了したかどうかを判定する（ステップＳ８１４）。つまり、「On-Duration区間以外でのPDCCH受信モード」がオフである場合に相当する。【００７８】
「onDurationTimer」が満了したと判定された場合（ステップＳ８１４：ＹＥＳ）、終了する。インアクティビティ区間となるためである。【００７９】
「onDurationTimer」が満了したと判定されない場合（ステップＳ８１４：ＮＯ）、ユーザ端末１００は、PCFICHをデコードする（ステップＳ８１６）。ユーザ端末１００は、PCFICHにより指定されるべき第1OFDMシンボル〜第3OFDMシンボル上のPDCCHをデコードし（ステップＳ８１８）、終了する。【００８０】
ステップＳ８０４により「onDurationTimer」が満了したと判定されない場合（ステップＳ８０４：ＮＯ）、ユーザ端末１００は、「On-Duration区間以外での間欠受信間隔タイマー」が起動中であるかどうかを判定する（ステップＳ８２０）。【００８１】
「On-Duration区間以外での間欠受信間隔タイマー」が起動中である場合（ステップＳ８２０：ＹＥＳ）、ユーザ端末１００は、「On-Duration区間以外での間欠受信間隔タイマー」を停止する（ステップＳ８２２）。オン−デュレイション区間であるためである。【００８２】
ステップＳ８２２により「On-Duration区間以外での間欠受信間隔タイマー」を停止した後、又はステップＳ８２０により「On-Duration区間以外での間欠受信間隔タイマー」が起動中でない場合（ステップＳ８２０：ＮＯ）、ユーザ端末１００は、PCFICHをデコードする（ステップＳ８２４）。ユーザ端末１００は、PCFICHにより指定されるべき第1OFDMシンボル〜第3OFDMシンボル上のPDCCHをデコードし（ステップＳ８２６）、終了する。【００８３】
ステップＳ８０６により「On-Duration区間以外での間欠受信間隔タイマー」が未起動である場合（ステップＳ８０６：ＹＥＳ）、ユーザ端末１００は、「On-Duration区間以外での間欠受信間隔タイマー」を起動し（ステップ８２８）、終了する。インアクティビティ区間であるためである。【００８４】
ステップ８０８により「On-Duration区間以外での間欠受信間隔タイマー」が満了したと判定されない場合（ステップＳ８０８：ＮＯ）、終了する。インアクティビティ区間の受信可能区間でないためである。【００８５】
ステップＳ８０２−ステップＳ８２６の処理は、ユーザ端末１００に搭載されたマイクロプロセッサがプログラムに従って処理を行うことにより実行される。マイクロプロセッサをユーザ端末１００として機能させるためのプログラムは、例えば、通信網を介してダウンロードされる。また、記録媒体に記録された状態で提供されてもよい。プログラムが記録媒体により提供される場合には、該記録媒体をユーザ端末１００の補助記憶装置に挿入すると、記録媒体に記録されたプログラムが読み取られる。マイクロプロセッサは、読み込んだプログラムをＲＡＭあるいはＨＤＤに書き込み、処理を実行する。プログラムは、ユーザ端末１００のコンピュータ（マイクロプロセッサ）に、図８のステップＳ８０２−Ｓ８２６を実行させる。また、例えば、プログラムは、少なくとも一部のステップを実行されるようにしてもよい。
＜基地局の動作＞
図９は、基地局２００の動作の一実施例を示すフローチャートである。図９には、主に、基地局２００に、ユーザ端末１００を宛先とするデータが発生し、且つ該ユーザ端末１００との間の同期が外れている場合に、該基地局との間で同期を取るための処理が示される。図９に示される処理は、主に、基地局２００の制御部２１０等により実行される。【００８６】
基地局２００は、ユーザ端末２００宛の下りリンクのデータが発生したかどうか判定する（ステップＳ９０２）。【００８７】
ユーザ端末２００宛の下りリンクのデータが発生したと判定された場合（ステップＳ９０２：ＹＥＳ）、基地局２００は、該ユーザ端末２００がオン−デュレイション区間であるかどうかを判定する（ステップＳ９０４）。【００８８】
該ユーザ端末２００がオン−デュレイション区間であると判定されない場合（ステップＳ９０４：ＮＯ）、基地局２００は、該ユーザ端末１００の間欠受信モードがオンであるかどうかを判定する（ステップＳ９０６）。ここで、ステップＳ９０４により判定される間欠受信モードは、「On-Duration区間以外でのPDCCH受信モード」がオンであるかオフであるかを判定することである。【００８９】
該ユーザ端末１００の間欠受信モードがオンであると判定された場合（ステップＳ９０６：ＹＥＳ）、基地局２００は、該ユーザ端末１００の「On-Duration区間以外での間欠受信間隔タイマー」の満了のタイミングであるかどうかを判定する（ステップＳ９０８）。【００９０】
該ユーザ端末１００の「On-Duration区間以外での間欠受信間隔タイマー」の満了のタイミングであると判定された場合（ステップＳ９０８：ＹＥＳ）、基地局２００は、第1OFDMシンボル(OFDM symbol 0)のうち、ユーザ端末１００に対して指定されるべきCCEインデックスに、PDCCHを割り当てる（ステップＳ９１０）。該PDCCHには、上りリンク同期リクエストが含まれる。【００９１】
ステップＳ９１０により上りリンク同期リクエストが割り当てられた下りリンクの信号は、ユーザ端末１００に送信される。【００９２】
ユーザ端末１００は、基地局２００からの下りリンクの信号に含まれる上りリンク同期リクエストに従って、ランダムアクセスチャネルによりプリアンブルを送信する。ユーザ端末１００によりプリアンブルが送信されることにより、該ユーザ端末１００と、基地局２００との間で、同期を確立する処理が開始される。【００９３】
ステップＳ９０２によりユーザ端末２００宛の下りリンクのデータが発生したと判定されない場合（ステップＳ９０２：ＮＯ）、終了する。ユーザ端末１００は、基地局２００による制御に従って、間欠受信制御を継続する。【００９４】
ステップＳ９０４により該ユーザ端末２００がオン−デュレイション区間であると判定される場合（ステップＳ９０４：ＹＥＳ）、基地局２００は、該ユーザ端末宛の下りリンクのデータのスケジューリングを実施する。基地局２００は、PDCCHを第1〜第3のOFDMシンボルに割り当てる（ステップＳ９１２）。【００９５】
基地局２００は下りリンクの信号を送信する。ユーザ端末１００は、オン−デュレイション区間であるため、該下りリンクの信号を受信できる。【００９６】
ステップＳ９０６により該ユーザ端末１００の間欠受信モードがオンであると判定されない場合（ステップＳ９０６：ＮＯ）、又はステップＳ９０８により該ユーザ端末１００の「On-Duration区間以外での間欠受信間隔タイマー」の満了のタイミングであると判定されない場合（ステップＳ９０８：ＮＯ）、終了する。【００９７】
ステップＳ９０２−ステップＳ９１２の処理は、基地局２００に搭載されたマイクロプロセッサがプログラムに従って処理を行うことにより実行される。マイクロプロセッサを基地局２００として機能させるためのプログラムは、例えば、通信網を介してダウンロードされる。また、記録媒体に記録された状態で提供されてもよい。プログラムが記録媒体により提供される場合には、該記録媒体を基地局２００の補助記憶装置に挿入すると、記録媒体に記録されたプログラムが読み取られる。マイクロプロセッサは、読み込んだプログラムをＲＡＭあるいはＨＤＤに書き込み、処理を実行する。プログラムは、基地局２００のコンピュータ（マイクロプロセッサ）に、図９のステップＳ９０２−Ｓ９１２を実行させる。また、例えば、プログラムは、少なくとも一部のステップを実行されるようにしてもよい。【００９８】
上述した実施例において、PDCCHを第1〜第3のOFDMシンボル(OFDM symbol 0〜OFDM symbol 2)に割り当てるようにしてもよい。【００９９】
図１０は、PDCCHの一実施例を示す。インアクティビティ区間の受信可能区間に送信されるべきPDCCHが示される。図１０に示される例では、第1〜第3のOFDMシンボル(OFDM symbol 0〜OFDM symbol 2)にPDCCHが割り当てられる例が示される。第1〜第2のOFDMシンボルにPDCCHが割り当てられるようにしてもよい。第1〜第3のOFDMシンボルにPDCCHが割り当てられる場合、第1〜第2のOFDMシンボルにPDCCHが割り当てられる場合においても、上りリンク同期リクエストを取得する際に使用されるべきPDCCHは、第１番目のOFDMシンボル上で指定されるのが好ましい。ユーザ端末１００は、PCFICHをデコードすることなく、上りリンク同期リクエストを取得することができるためである。【０１００】
図１１は、PDCCHの一実施例において、PDCCHを指定する方法を表す。CCEインデックスによりPDCCHが指定される。図１１に示される例では、第1OFDMシンボルのCCEインデックスが「８」により表されるREGが指定される。【０１０１】
本実施例によれば、間欠受信制御されているユーザ端末は、オン−デュレイション区間以外の区間に下りリンクの信号を受信できる。つまり、基地局は、ユーザ端末に、オン−デュレイション区間以外の区間に下りリンクの信号を受信させることができる。オン−デュレイション区間以外の区間に下りリンクの信号を受信させることができるため、基地局は、該ユーザ端末を宛先とするデータが発生した場合に、オン−デュレイション区間以外の区間であり、且つ該ユーザ端末との間の同期が外れている場合であっても、該ユーザ端末との間で同期を確立するための上りリンク同期リクエストを送信できる。
【図１】
2012157091.tif 000003
【図２】
2012157091.tif 000004
【図３】
2012157091.tif 000005
【図４】
2012157091.tif 000006
【図５】
2012157091.tif 000007
【図６】
2012157091.tif 000008
【図７】
2012157091.tif 000009
【図８】
2012157091.tif 000010
【図９】
2012157091.tif 000011
【図１０】
2012157091.tif 000012
【図１１】
2012157091.tif 000013
【手続補正書】
【提出日】平成25年11月8日(2013.11.8)
【手続補正１】
【補正対象書類名】特許請求の範囲
【補正対象項目名】全文
【補正方法】変更
【補正の内容】
【特許請求の範囲】
【請求項１】
間欠受信機能を設定できるユーザ端末と、該ユーザ端末との間で無線通信を行う基地局とを有する無線通信システムであって、
ユーザ端末は、
基地局から、間欠受信に関する間欠受信情報を受信する受信部と、
該受信部により受信された間欠受信情報に基づいて、間欠受信を行う間欠受信周期を設定する間欠受信周期設定部と、
前記受信部により受信された間欠受信情報に基づいて、前記間欠受信周期設定部により設定された間欠受信周期のうち、下りリンクの信号を受信できる第１区間を設定する第１区間設定部と、
前記受信部により受信された間欠受信情報に基づいて、前記間欠受信周期設定部により設定されるべき間欠受信周期のうち、前記第１区間設定部により設定された第１区間以外の第２の区間において、下りリンクの信号を受信できる受信可能区間を設定する受信可能区間設定部と
を有し、
前記受信部は、前記受信可能区間設定部により設定されるべき受信可能区間において、下りリンクの信号を受信し、
前記基地局は、
前記ユーザ端末に設定すべき、前記間欠受信周期を設定する間欠受信周期設定部と、
前記間欠受信周期設定部により設定された間欠受信周期のうち、下りリンクの信号を受信させる第１区間を設定する第１区間設定部と、
前記間欠受信周期設定部により設定されるべき間欠受信周期のうち、前記第１区間設定部により設定された第１区間以外の第２の区間において、下りリンクの信号を受信できる受信可能区間を設定する受信可能区間設定部と
前記間欠受信周期設定部により設定されるべき間欠受信周期と、前記第１区間設定部により設定されるべき第１区間と、前記受信可能区間設定部により設定されるべき受信可能区間とを含む間欠受信に関する間欠受信情報を送信する送信部と
を有する、無線通信システム。
【請求項２】
間欠受信機能を設定できるユーザ端末であって、
基地局から、間欠受信に関する間欠受信情報を受信する受信部と、
該受信部により受信された間欠受信情報に基づいて、間欠受信を行う間欠受信周期を設定する間欠受信周期設定部と、
前記受信部により受信された間欠受信情報に基づいて、前記間欠受信周期設定部により設定された間欠受信周期のうち、下りリンクの信号を受信できる第１区間を設定する第１区間設定部と、
前記受信部により受信された間欠受信情報に基づいて、前記間欠受信周期設定部により設定されるべき間欠受信周期のうち、前記第１区間設定部により設定された第１区間以外の第２の区間において、下りリンクの信号を受信できる受信可能区間を設定する受信可能区間設定部と
を有し、
前記受信部は、前記受信可能区間設定部により設定されるべき受信可能区間において、下りリンクの信号を受信する、ユーザ端末。
【請求項３】
請求項２に記載のユーザ端末において、
前記受信部は、前記受信可能区間において、前記下りリンクの信号に含まれるべき上りリンク同期リクエストを受信する、ユーザ端末。
【請求項４】
請求項３に記載のユーザ端末において、
前記間欠受信情報には、制御情報のマッピングを表す情報が含まれ、
前記受信部は、前記マッピングを表す情報に従って、前記上りリンク同期リクエストを受信する、ユーザ端末。
【請求項５】
ユーザ端末に設定すべき、間欠受信を行わせる間欠受信周期を設定する間欠受信周期設定部と、
前記間欠受信周期設定部により設定された間欠受信周期のうち、下りリンクの信号を受信させる第１区間を設定する第１区間設定部と、
前記間欠受信周期設定部により設定されるべき間欠受信周期のうち、前記第１区間設定部により設定された第１区間以外の第２の区間において、下りリンクの信号を受信できる受信可能区間を設定する受信可能区間設定部と
前記間欠受信周期設定部により設定されるべき間欠受信周期と、前記第１区間設定部により設定されるべき第１区間と、前記受信可能区間設定部により設定されるべき受信可能区間とを含む間欠受信に関する間欠受信情報を送信する送信部と
を有する、基地局。
【請求項６】
請求項５に記載の基地局において、
前記送信部は、前記受信可能区間において、上りリンク同期リクエストを含む下りリンクの信号を送信する、基地局。
【請求項７】
請求項５に記載の基地局において、
前記送信部により送信されるべき間欠受信情報には、制御情報のマッピングを表す情報が含まれる、基地局。
【請求項８】
請求項７に記載の基地局において、
前記送信部により送信されるべき下りリンクの信号には、制御チャネルが含まれ、
上りリンク同期リクエストを受信するための情報を、第１番目のOFDMシンボルにマッピングするマッピング部
を有する、基地局。
【請求項９】
間欠受信機能を設定できるユーザ端末と、該ユーザ端末との間で無線通信を行う基地局とを有する無線通信システムにおける間欠受信設定方法であって、
ユーザ端末は、
基地局から、間欠受信に関する間欠受信情報を受信する受信ステップと、
該受信ステップにより受信された間欠受信情報に基づいて、間欠受信を行う間欠受信周期を設定する間欠受信周期設定ステップと、
前記受信ステップにより受信された間欠受信情報に基づいて、前記間欠受信周期設定ステップにより設定された間欠受信周期のうち、下りリンクの信号を受信できる第１区間を設定する第１区間設定ステップと、
前記受信ステップにより受信された間欠受信情報に基づいて、前記間欠受信周期設定ステップにより設定されるべき間欠受信周期のうち、前記第１区間設定ステップにより設定された第１区間以外の第２の区間において、下りリンクの信号を受信できる受信可能区間を設定する受信可能区間設定ステップと
を有し、
前記受信ステップは、前記受信可能区間設定ステップにより設定されるべき受信可能区間において、下りリンクの信号を受信し、
前記基地局は、
前記ユーザ端末に設定すべき、前記間欠受信周期を設定する間欠受信周期設定ステップと、
前記間欠受信周期設定ステップにより設定された間欠受信周期のうち、下りリンクの信号を受信させる第１区間を設定する第１区間設定ステップと、
前記間欠受信周期設定ステップにより設定されるべき間欠受信周期のうち、前記第１区間設定ステップにより設定された第１区間以外の第２の区間において、下りリンクの信号を受信できる受信可能区間を設定する受信可能区間設定ステップと
前記間欠受信周期設定ステップにより設定されるべき間欠受信周期と、前記第１区間設定ステップにより設定されるべき第１区間と、前記受信可能区間設定ステップにより設定されるべき受信可能区間とを含む間欠受信に関する間欠受信情報を送信する送信ステップと
を有する、間欠受信設定方法。
【国際調査報告】
2012157091.tif 000014
2012157091.tif 000015
2012157091.tif 000016
2012157091.tif 000017